(57)【要約】【課題】  従来のカップル用コートでは、携帯するために大きめのバッグやビニール袋等を別に準備しなければならないため、取り扱いが煩雑であった。【解決手段】  カップルの胴体を覆うコート本体１と、コート本体１の上部に設けられたケープ３とを備え、ケープ３は、コート本体１やフード２を収納して携帯するための携帯具として用いることができるように構成されている。【選択図】      図１
2006161240.tif 000002
【特許請求の範囲】
【請求項１】
カップルが横並びの状態で着用するようにした一着のコートであって、その一部分が他の部分を収納して携帯するための携帯具として用いることができるように構成されたことを特徴とするカップル用コート。
【請求項２】
カップルの胴体を覆うコート本体と、このコート本体の上部に設けられたケープとを備え、前記ケープが前記携帯具として用いることができるように構成されたことを特徴とする請求項１記載のカップル用コート。
【請求項３】
カップルの胴体を覆うコート本体と、このコート本体の上部に設けられたフードとを備え、前記フードが前記携帯具として用いることができるように構成されたことを特徴とする請求項１記載のカップル用コート。
【請求項４】
正面にカップルが内側の腕を外に出すための腕通し孔が設けられると共に、この腕通し孔を開閉する開閉手段が設けられたことを特徴とする請求項１乃至請求項３のいずれか一項記載のカップル用コート。
【発明の詳細な説明】
【技術分野】
【０００１】
本発明は、例えばスポーツ競技場やコンサート会場等において、カップルが横並びの状態で着用するようにしたカップル用コートに関する。
【背景技術】
【０００２】
従来、この種のコートとしては、例えば実開平４−６０５０６号公報に示すようなものが提案されている。この種のコートは、二人分の胴体を覆うように形成されているため、折り畳んだ状態では結構嵩張り、携帯するためには大きめのバッグ等を準備しなければならなかった。
【０００３】
また、コートが雨水で濡れている場合には、バッグ内の他の収納物に雨水が付着しないように、降り畳んだコートを入れるビニール袋等も準備しなけらればならないため、取り扱いが煩雑であった。
【特許文献１】実開平４−６０５０６号公報
【発明の開示】
【発明が解決しようとする課題】
【０００４】
解決しようとする問題点は、従来のカップル用コートでは、携帯するために大きめのバッグやビニール袋等を別に準備しなければならないため、取り扱いが煩雑な点である。
【課題を解決するための手段】
【０００５】
上記課題を解決するために、本発明は、カップルが横並びの状態で着用するようにした一着のコートであって、その一部分が他の部分を収納して携帯するための携帯具として用いることができるように構成されたことを特徴としている。
【発明の効果】
【０００６】
本発明のカップル用コートは、コートを収納するバッグやビニール袋等を別に準備する必要がないので、取り扱いが容易である。
【発明を実施するための最良の形態】
【０００７】
以下、本発明の一実施形態を図面に基づいて説明する。図１は本発明の第１の実施形態の正面図、図２は第１の実施形態の背面図、図３は第１の実施形態のコート本体の正面図、図４は第１の実施形態の要部の構造説明図、図５は第１の実施形態の使用方法の説明図である。
【０００８】
本実施形態のカップル用コートは、ビニール等の撥水及び防水性を有する布帛から成り、図１、図２に示すように、カップルの胴体を覆うコート本体１、カップルの頭部を覆うフード２、及びケープ３を備えている。
【０００９】
コート本体１は、下端部が開口した袋状の形状を呈しており、上部には一対の頭部通し孔４、５が設けられている。また、図３に示すように、コート本体１の両側上部にはそれぞれ腕通し孔６、７が設けられている。
【００１０】
コート本体１の正面には、各着用者の前身頃の中央部を縦断するように前開き部８、９が設けられ、これらの前開き部８、９はオープンタイプのファスナー１０、１１によって上部及び下部から開閉するようになっている。なお、オープンタイプのファスナーに代えて、ベルベット式のファスナーや釦等で前開き部８、９を開閉するようにしてもよい。
【００１１】
コート本体１の正面の略中央部には、カップルが内側の腕を外に出すための横長の腕通し孔１２（図４参照）と、この孔１２を開閉自在に覆うフラップ１３とが設けられている。このフラップ１３を設けたことで、腕通し孔１２からコート本体１内に風や雨水が侵入するのを防ぐことができるので、コート本体１内の保温性を高めることができるとともに、コート本体１内が雨水で濡れるのを防ぐことができる。
【００１２】
また、頭部通し孔４、５の周囲には立襟１４、１５が設けられており、着用者の首と頭部通し孔４、５との間からコート本体１内に風や雨水が侵入するのを防ぐことができるので、コート本体１内の保温性を高めることができるとともに、コート本体１内が雨水で濡れるのを防ぐことができる。
【００１３】
フード２は複数個の釦１６を介してコート本体１に着脱自在に取り付けられている。また、ケープ３もフード２と同様に複数個の釦を介してコート本体１に着脱自在に取り付けられている。なお、釦に代えてファスナーでフード２やケープ３をコート本体１に着脱自在に取り付けるようにしてもよい。
【００１４】
なお、図１に示すように、フード２の内面における二人の頭部の間となる位置に、二点鎖線で示す如く、ポケット状等に形成された小物収納部２ａを一つ又は複数設けるようにしてもよい。このようにすると、例えば、スポーツ観戦の際にラジオを収納して実況中継を聞きながら観戦したり、菓子や飲み物等を収納しておくことができる。また、小物収納部２ａに通気孔を設けておくと、携帯用カイロ等の発熱体を収納した際に熱が外部に放散してフード２内を暖かくすることができるので、好ましい。
【００１５】
ケープ３は、折り畳んだコート本体１及びフード２を収納して携帯するための携帯具にすることができるように構成されている。
【００１６】
すなわち、図１に示すように、ケープ３の一方の側縁にはオープンタイプのファスナー１７の一方のエレメント１７ａが取り付けられ、ケープ３の他方の側縁にはファスナー１７の他方のエレメント１７ｂが取り付けられている。
【００１７】
また、図２に示すように、ケープ３の左側の部分と右側の部分の襟元に沿ってそれぞれ片クローズドタイプのファスナー１８が取り付けられている。なお、片クローズドタイプのファスナーとは、各エレメントの一端側のムシは分離可能であるが、他端側のムシは分離不能のファスナーのことをいう。
【００１８】
さらに、ケープ３の裾に沿ってドローコード２０が設けられている。すなわち、ケープ３の裾は、三つ巻き処理等、ドローコード２０を長手方向に通せるような構造になっており、ドローコード２０を長手方向に摺動自在に支持している。
【００１９】
図１に示すように、ドローコード２０の一方の端部２０ａはケープ３の一方の側縁の下端部から下方に垂下し、他方の端部２０ｂはケープ３の他方の側縁の下端部から下方に垂下している。また、図２に示すように、ドローコード２０の中央部２０ｃはケープ３の裾の中央部から下方に突出している。
【００２０】
なお、ケープ３の背面の左側部分と右側の部分の内面側にはそれぞれポケット状の収納部２１が設けられ、その開口はクローズドタイプのファスナー２２で開閉されるようになっている。ケープ３は、着用時と後述する携帯時とでは上下が逆になるため、収納部２１の内部袋地は、ファスナー２２よりも下方の部位２１ａと上方の部位２１ｂとがあり、いずれの部位においても収納物を収納できるようになっている。すなわち、収納部２１は、着用時においてはファスナー２２よりも下方の部位２１ａに収納物を収納し、携帯時においてはファスナー２２よりも上方の部位２１ｂに収納物を収納する。
【００２１】
次に、本実施形態のカップル用コートの使用方法を説明する。このコートを着用する際には、ファスナー１０、１１のスライダーを引き下げて前開き部８、９を開放し、右側の着用者は頭部を頭部通し孔４に通すと共に右腕を腕通し孔６に通し、左側の着用者は頭部を頭部通し孔５に通すと共に左腕を腕通し孔７に通し、ファスナー１０、１１のスライダーを引き上げる。なお、右側の着用者の左腕と左側の着用者の右腕は腕通し孔１２を介して外に出すことができる。
【００２２】
コートを着用しないときには、コート本体１からフード２とケープ３を取り外してコート本体１とフード２を折り畳む。そして、ケープ３の一方の側縁と他方の側縁をファスナー１７で結合して上下が開口した筒状とし、さらにケープ３の襟元側を各ファスナー１８で閉口する。これにより、ケープ３は裾側が開口した袋状となる。
【００２３】
そして、折り畳んだコート本体１とフード２をケープ３内に収納し、ドローコード２０の両端部２０ａ、２０ｂと中央部２０ｃを引っ張ってケープ３の裾側を巾着袋状に閉口する。図５はその状態を示す。
【００２４】
なお、ドローコード２０の両端部２０ａ、２０ｂ、中央部２０ｃは、結び合わせることで把手として使用することができる。また、収納部２１は小物を収納するためのものとして使用することができる。
【００２５】
このように、本実施形態のカップル用コートは、ケープ３を携帯具として使用するようにしたことで、コートを入れるバッグやビニール袋等を別に準備する必要が無いため、取り扱いが容易である。
【００２６】
また、コートの一部分を携帯具として用いるようにしたことで、コートとは別体の携帯具を付属させる場合と比べて部品点数が低減し、製造コストも安価となる。
【００２７】
次に、本発明の第２の実施形態を説明する。図６は第２の実施形態の正面図である。なお、以下の各実施形態において、第１の実施形態と同一又は類似の部分には同一の符号を付してあり、重複する説明は省略してある。
【００２８】
本実施形態では、腕通し孔１２が釣り鐘状に形成された袖部２３の下端側に形成されており、袖部２３により開閉自在に覆われている。
【００２９】
このように構成することで、第１の実施形態と同様に腕通し孔１２からコート本体１内に風や雨水が侵入しにくく、コート本体１内の保温性を保つことができるとともに、コート本体１内が濡れるのを防ぐことができる。
【００３０】
次に、本発明の第３の実施形態を説明する。図７は第３の実施形態の正面図である。  本実施形態では、コート本体１の正面に設けられた腕通し孔１２が一対の切り込み１２ａ、１２ｂから成っており、これらの切り込み１２ａ、１２ｂは下方に向けて拡開するハの字形を成している。また、切り込み１２ａ、１２ｂはクローズドタイプのファスナー２４、２５によって開閉するようになっている。
【００３１】
本実施形態では、切り込み１２ａ、１２ｂが上記のように形成されたことで、着用者が両腕を上げて万歳をするような動作を行うときに抵抗が少なく、スムーズに腕を上げることができる。すなわち、人間が両腕を上げて万歳をする際には、通常、両腕の間隔が上方に向かって次第に広がるように両腕を斜め上方に向けて上げるからである。
【００３２】
また、ファスナー２４、２５を設けたことで、切り込み１２ａ、１２ｂから腕を出さないときには切り込み１２ａ、１２ｂを閉じておくことで、コート本体１１内の保温性を高めることができるとともに、コート本体１内が濡れるのを防ぐことができる。
【００３３】
次に、本発明の第４の実施形態を説明する。図８は第４の実施形態の正面図である。
【００３４】
本実施形態では、コート本体１の正面の腕通し孔１２が上下に延びるスリット状に形成され、一対のファスナー２６、２７及びこれらの間に設けた摺動体２８により、腕通し孔１２の上部と下部をそれぞれ独立して開閉するようになっている。
【００３５】
なお、摺動体２８はファスナー２６、２７のスライダーと共に腕通し孔１２に沿って摺動可能となっており、腕通し孔１２の上部と下部の開口の長さをそれぞれ調節することができる。このようにすることで、カップルの身長差や姿勢等に応じて腕を出す位置を選択することができるので、腕を動かし易くすることができるという利点がある。
【００３６】
以上、具体例を挙げて本発明の一実施形態について説明したが、本発明は上記の各実施形態に限定されるものではない。
【００３７】
例えば、上記実施形態では、ケープを携帯具として用いるように構成した場合を例に挙げて説明したが、ケープ以外の部分（例えばフード）を携帯具として用いるようにしてもよい。
【００３８】
また、携帯具として用いる部分に、バッグのように手で提げるための手提げ紐や、リュックサックのように背中に担ぐための肩紐を設けるようにしてもよい。
【００３９】
また、上記の実施形態では、コート本体は、袖が無いノースリーブのものとなっているが、袖付きのものであってもよい。
【００４０】
図９はその一例を示しており、ケープを外した状態の正面図である。この例では、コート本体１の両側上部にラグラン袖２９、３０が取り付けてある。ラグラン袖は着用者の肩の位置が規制されず、肩を動かす際に抵抗が少ないため、着心地が良いという利点が有る。
【００４１】
その他にも本発明の要旨を逸脱しない範囲で上記の各実施形態に種々の改変を施すことができる。
【図面の簡単な説明】
【００４２】
【図１】本発明の第１の実施形態の正面図である。
【図２】第１の実施形態の背面図である。
【図３】第１の実施形態のコート本体の正面図である。
【図４】第１の実施形態の要部の構造説明図である。
【図５】第１の実施形態の使用方法の説明図である。
【図６】本発明の第２の実施形態の正面図である。
【図７】本発明の第３の実施形態の正面図である。
【図８】本発明の第４の実施形態の正面図である。
【図９】コート本体の変形例を示す図であり、ケープを外した状態の正面図である。
【符号の説明】
【００４３】
１・・・コート本体
２・・・フード
３・・・ケープ
１３・・・フラップ（開閉手段）
２３・・・袖部（開閉手段）
２４、２５、２６、２７・・・ファスナー（開閉手段）
２８・・・摺動体（開閉手段）
【図１】
2006161240.tif 000003
【図２】
2006161240.tif 000004
【図３】
2006161240.tif 000005
【図４】
2006161240.tif 000006
【図５】
2006161240.tif 000007
【図６】
2006161240.tif 000008
【図７】
2006161240.tif 000009
【図８】
2006161240.tif 000010
【図９】
2006161240.tif 000011